(57)【特許請求の範囲】
【請求項１】
コンピューターサーバーを冷却する空調設備の負荷試験、発電機の負荷試験、バッテリーの負荷試験のいずれかを行うために使用される負荷試験装置と、
前記負荷試験装置と無線通信を行う通信端末とを備えた負荷システムであって、
前記負荷試験装置は、前記通信端末と無線通信を行う通信部を有するものであり、
前記通信部は、無線通信を介して、前記通信端末に、前記負荷試験装置のオンオフ状態に関する情報を送信し、前記通信端末から、無線通信を介して、前記負荷試験装置を動作させる指示に関する信号を受信するものであり、
前記負荷試験装置は、抵抗器を含む抵抗器群が複数設けられた抵抗部を有し、
前記通信端末には、オンオフ状態表示パターンを表示するソフトウエアがインストールされており、
前記オンオフ状態表示パターンは、前記負荷試験装置におけるリレーのうち、少なくとも前記抵抗部における前記複数の抵抗器群に対応するもののオンオフ状態を示すリレーオンオフ状態表示領域と、前記負荷試験装置の負荷試験の状態を示す負荷試験状態表示領域を有し、
前記リレーオンオフ状態表示領域の操作に対応して、前記負荷試験装置における前記リレーのうち、少なくとも前記抵抗部における前記複数の抵抗器群に対応するもののオンオフ状態の切替が行われることを特徴とする負荷システム。
【請求項２】
抵抗器を含む抵抗器群が複数設けられた抵抗部と、
通信端末と無線通信を行う通信部とを備えた負荷試験装置であって、
前記通信部は、前記通信端末に、前記第１負荷試験装置のオンオフ状態に関する情報を送信し、前記通信端末から、前記負荷試験装置を動作させる指示に関する信号を受信するものであり、
前記通信部と前記通信端末との通信が切断された時に、前記負荷試験装置におけるリレーのうち、前記抵抗部における前記複数の抵抗器群に対応するものであって、オン状態のものの少なくとも１つがオフ状態にされることを特徴とする負荷試験装置。
【請求項３】
負荷試験装置と、
前記負荷試験装置と無線通信を行う通信端末とを備えた負荷システムであって、
前記負荷試験装置は、前記通信端末と無線通信を行う通信部を有するものであり、
前記通信部は、前記通信端末に、前記負荷試験装置のオンオフ状態に関する情報を送信し、前記通信端末から、前記負荷試験装置を動作させる指示に関する信号を受信するものであり、
前記負荷試験装置は、抵抗器を含む抵抗器群が複数設けられた抵抗部を有し、
前記通信部と前記通信端末との通信が切断された時に、前記負荷試験装置におけるリレーのうち、前記抵抗部における前記複数の抵抗器群に対応するものであって、オン状態のものの少なくとも１つがオフ状態にされることを特徴とする負荷システム。
【請求項４】
負荷試験装置と、
前記負荷試験装置と無線通信を行う通信端末とを備えた負荷システムであって、
前記負荷試験装置は、前記通信端末と無線通信を行う通信部を有するものであり、
前記通信部は、前記通信端末に、前記負荷試験装置のオンオフ状態に関する情報を送信し、前記通信端末から、前記負荷試験装置を動作させる指示に関する信号を受信するものであり、
前記負荷試験装置は、抵抗器を含む抵抗器群が複数設けられた抵抗部を有し、
前記通信部と前記通信端末との通信が切断された時に、前記負荷試験装置におけるリレーのうち、前記抵抗部における前記複数の抵抗器群に対応するものであって、オン状態のもののいくつかが段階的にオフ状態にされることを特徴とする負荷システム。
【請求項５】
前記通信が切断された後であって、前記負荷試験装置における前記複数の抵抗器群に対応する前記リレーの総てがオフ状態にされる前に、前記通信が回復した場合には、前記段階的にオフ状態にする制御は停止され、前記通信端末は、前記通信が回復したことに関する情報を表示することを特徴とする請求項４に記載の負荷システム。
【請求項６】
第１負荷試験装置と、
前記第１負荷試験装置とは別の第２負荷試験装置と、
前記第１負荷試験装置、及び前記第２負荷試験装置と無線通信を行う通信端末とを備えた負荷システムであって、
前記第１負荷試験装置、及び前記第２負荷試験装置は、コンピューターサーバーを冷却する空調設備の負荷試験、発電機の負荷試験、バッテリーの負荷試験のいずれかを行うために使用されるものであり、
前記第１負荷試験装置は、前記通信端末と無線通信を行う第１通信部を有するものであり、
前記第２負荷試験装置は、前記通信端末と無線通信を行う第２通信部を有するものであり、
前記第１通信部は、無線通信を介して、前記通信端末に、前記第１負荷試験装置のオンオフ状態に関する情報を送信し、前記通信端末から、無線通信を介して、前記第１負荷試験装置を動作させる指示に関する信号を受信し、
前記第２通信部は、無線通信を介して、前記通信端末に、前記第２負荷試験装置のオンオフ状態に関する情報を送信し、前記通信端末から、無線通信を介して、前記第２負荷試験装置を動作させる指示に関する信号を受信することを特徴とする負荷システム。
【請求項７】
前記第１負荷試験装置は、抵抗器を含む抵抗器群が複数設けられた第１抵抗部を有し、
前記第２負荷試験装置は、抵抗器を含む抵抗器群が複数設けられた第２抵抗部を有し、
前記通信端末には、第１オンオフ状態表示パターンと第２オンオフ状態表示パターンを表示するソフトウエアがインストールされており、
前記第１オンオフ状態表示パターンは、前記第１負荷試験装置におけるリレーのうち、少なくとも前記第１抵抗部における前記複数の抵抗器群に対応するもののオンオフ状態を示す第１リレーオンオフ状態表示領域と、前記第１負荷試験装置の負荷試験の状態を示す第１負荷試験状態表示領域を有し、
前記第２オンオフ状態表示パターンは、前記第２負荷試験装置におけるリレーのうち、少なくとも前記第２抵抗部における前記複数の抵抗器群に対応するもののオンオフ状態を示す第２リレーオンオフ状態表示領域と、前記第２負荷試験装置の負荷試験の状態を示す第２負荷試験状態表示領域を有し、
前記第１リレーオンオフ状態表示領域の操作に対応して、前記第１負荷試験装置における前記リレーのうち、少なくとも前記第１抵抗部における前記複数の抵抗器群に対応するもののオンオフ状態の切替が行われ、
前記第２リレーオンオフ状態表示領域の操作に対応して、前記第２負荷試験装置における前記リレーのうち、少なくとも前記第２抵抗部における前記複数の抵抗器群に対応するもののオンオフ状態の切替が行われ、
前記第１負荷試験装置の負荷試験の状態は、前記第１負荷試験装置の負荷試験における電流に関する情報と、電圧に関する情報と、電力に関する情報と、負荷量に関する情報と、試験時間に関する情報と、正常に動作しているか否かに関する情報の少なくとも１つを含み、
前記第２負荷試験装置の負荷試験の状態は、前記第２負荷試験装置の負荷試験における電流に関する情報と、電圧に関する情報と、電力に関する情報と、負荷量に関する情報と、試験時間に関する情報と、正常に動作しているか否かに関する情報の少なくとも１つを含むことを特徴とする請求項６に記載の負荷システム。
【請求項８】
第１負荷試験装置と、
前記第１負荷試験装置とは別の第２負荷試験装置と、
前記第１負荷試験装置、及び前記第２負荷試験装置と無線通信を行う通信端末とを備えた負荷システムであって、
前記第１負荷試験装置は、前記通信端末と無線通信を行う第１通信部を有するものであり、
前記第２負荷試験装置は、前記通信端末と無線通信を行う第２通信部を有するものであり、
前記第１通信部は、前記通信端末に、前記第１負荷試験装置のオンオフ状態に関する情報を送信し、前記通信端末から、前記第１負荷試験装置を動作させる指示に関する信号を受信し、
前記第２通信部は、前記通信端末に、前記第２負荷試験装置のオンオフ状態に関する情報を送信し、前記通信端末から、前記第２負荷試験装置を動作させる指示に関する信号を受信するものであり、
前記第１負荷試験装置は、抵抗器を含む抵抗器群が複数設けられた第１抵抗部を有し、
前記第２負荷試験装置は、抵抗器を含む抵抗器群が複数設けられた第２抵抗部を有し、
前記第１通信部と前記通信端末との通信が切断された時に、前記第１負荷試験装置におけるリレーのうち、前記第１抵抗部における前記複数の抵抗器群に対応するものであって、オン状態のものの少なくとも１つがオフ状態にされ、
前記第２通信部と前記通信端末との通信が切断された時に、前記第２負荷試験装置におけるリレーのうち、前記第２抵抗部における前記複数の抵抗器群に対応するものであって、オン状態のものの少なくとも１つがオフ状態にされることを特徴とする負荷システム。
【請求項９】
第１負荷試験装置と、
前記第１負荷試験装置とは別の第２負荷試験装置と、
前記第１負荷試験装置、及び前記第２負荷試験装置と無線通信を行う通信端末とを備えた負荷システムであって、
前記第１負荷試験装置は、前記通信端末と無線通信を行う第１通信部を有するものであり、
前記第２負荷試験装置は、前記通信端末と無線通信を行う第２通信部を有するものであり、
前記第１通信部は、前記通信端末に、前記第１負荷試験装置のオンオフ状態に関する情報を送信し、前記通信端末から、前記第１負荷試験装置を動作させる指示に関する信号を受信し、
前記第２通信部は、前記通信端末に、前記第２負荷試験装置のオンオフ状態に関する情報を送信し、前記通信端末から、前記第２負荷試験装置を動作させる指示に関する信号を受信するものであり、
前記通信端末には、第１オンオフ状態表示パターンと第２オンオフ状態表示パターンを表示するソフトウエアがインストールされており、
前記第１オンオフ状態表示パターンは、前記第１負荷試験装置におけるリレーのオンオフ状態を示す第１リレーオンオフ状態表示領域と、前記第１負荷試験装置の負荷試験の状態を示す第１負荷試験状態表示領域を有し、
前記第２オンオフ状態表示パターンは、前記第２負荷試験装置におけるリレーのオンオフ状態を示す第２リレーオンオフ状態表示領域と、前記第２負荷試験装置の負荷試験の状態を示す第２負荷試験状態表示領域を有し、
前記第１リレーオンオフ状態表示領域の操作に対応して、前記第１負荷試験装置における前記リレーのオンオフ状態の切替が行われ、
前記第２リレーオンオフ状態表示領域の操作に対応して、前記第２負荷試験装置における前記リレーのオンオフ状態の切替が行われ、
前記第１負荷試験装置の負荷試験の状態は、前記第１負荷試験装置の負荷試験における電流に関する情報と、電圧に関する情報と、電力に関する情報と、負荷量に関する情報と、試験時間に関する情報と、正常に動作しているか否かに関する情報の少なくとも１つを含み、
前記第２負荷試験装置の負荷試験の状態は、前記第２負荷試験装置の負荷試験における電流に関する情報と、電圧に関する情報と、電力に関する情報と、負荷量に関する情報と、試験時間に関する情報と、正常に動作しているか否かに関する情報の少なくとも１つを含み、
前記ソフトウエアは、さらに履歴表示パターンを表示するものであり、
前記履歴表示パターンは、前記第１負荷試験装置の負荷試験の状態と前記第２負荷試験装置の負荷試験の状態を示す進行中表示領域と、前記第１負荷試験装置と前記第２負荷試験装置における過去の負荷試験の内容を示す過去表示領域を有し、
前記過去表示領域における前記過去の負荷試験の内容は、前記過去の負荷試験における日時に関する情報を含むものであり、
前記進行中表示領域における、前記第１負荷試験装置の負荷試験の状態を示す領域が操作された場合には、前記第１オンオフ状態表示パターンの表示に切り替えられ、
前記進行中表示領域における、前記第２負荷試験装置の負荷試験の状態を示す領域が操作された場合には、前記第２オンオフ状態表示パターンの表示に切り替えられることを特徴とする負荷システム。
【請求項１０】
通信端末と無線通信を行う通信部を備え、コンピューターサーバーを冷却する空調設備の負荷試験、発電機の負荷試験、バッテリーの負荷試験のいずれかを行うために使用される負荷試験装置であって、
前記通信部は、無線通信を介して、前記通信端末に、前記負荷試験装置におけるオンオフ状態に関する情報を送信し、前記通信端末から、無線通信を介して、前記負荷試験装置を動作させる指示に関する信号を受信するものであり、
前記負荷試験装置は、抵抗器を含む抵抗器群が複数設けられた抵抗部を有し、
前記通信端末には、オンオフ状態表示パターンを表示するソフトウエアがインストールされており、
前記オンオフ状態表示パターンは、前記負荷試験装置におけるリレーのうち、少なくとも前記抵抗部における前記複数の抵抗器群に対応するもののオンオフ状態を示すリレーオンオフ状態表示領域と、前記負荷試験装置の負荷試験の状態を示す負荷試験状態表示領域を有し、
前記リレーオンオフ状態表示領域の操作に対応して、前記負荷試験装置における前記リレーのうち、少なくとも前記抵抗部における前記複数の抵抗器群に対応するもののオンオフ状態の切替が行われることを特徴とする負荷試験装置。
【請求項１１】
コンピューターサーバーを冷却する空調設備の負荷試験、発電機の負荷試験、バッテリーの負荷試験のいずれかを行うために使用される負荷試験装置と無線通信を行う通信端末であって、
前記負荷試験装置は、前記通信端末と無線通信を行う通信部を有するものであり、
前記通信端末は、無線通信を介して、前記第１通信部から、前記負荷試験装置のオンオフ状態に関する情報を受信し、前記通信部に、無線通信を介して、前記負荷試験装置を動作させる指示に関する信号を送信するものであり、
前記負荷試験装置は、抵抗器を含む抵抗器群が複数設けられた抵抗部を有し、
前記通信端末には、オンオフ状態表示パターンを表示するソフトウエアがインストールされており、
前記オンオフ状態表示パターンは、前記負荷試験装置におけるリレーのうち、少なくとも前記抵抗部における前記複数の抵抗器群に対応するもののオンオフ状態を示すリレーオンオフ状態表示領域と、前記負荷試験装置の負荷試験の状態を示す負荷試験状態表示領域を有し、
前記リレーオンオフ状態表示領域の操作に対応して、前記負荷試験装置における前記リレーのうち、少なくとも前記抵抗部における前記複数の抵抗器群に対応するもののオンオフ状態の切替が行われることを特徴とする通信端末。
【請求項１２】
抵抗器を含む抵抗器群が複数設けられた抵抗部と、
通信端末と無線通信を行う通信部とを備えた負荷試験装置であって、
前記通信部は、前記通信端末に、前記負荷試験装置のオンオフ状態に関する状態を送信し、前記通信端末から、前記負荷試験装置を動作させる指示に関する信号を受信するものであり、
前記通信部と前記通信端末との通信が切断された時に、前記負荷試験装置におけるリレーのうち、前記抵抗部における前記複数の抵抗器群に対応するものであって、オン状態のもののいくつかが段階的にオフ状態にされることを特徴とする負荷試験装置。
【請求項１３】
前記通信が切断された後であって、前記負荷試験装置における前記複数の抵抗器群に対応する前記リレーの総てがオフ状態にされる前に、前記通信が回復した場合には、前記段階的にオフ状態にする制御は停止されることを特徴とする請求項１２に記載の負荷試験装置。
【請求項１４】
第１負荷試験装置及び前記第１負荷試験装置とは別の第２負荷試験装置と無線通信を行う通信端末であって、
前記第１負荷試験装置、及び前記第２負荷試験装置は、コンピューターサーバーを冷却する空調設備の負荷試験、発電機の負荷試験、バッテリーの負荷試験のいずれかを行うために使用されるものであり、
前記第１負荷試験装置は、前記通信端末と無線通信を行う第１通信部を有するものであり、
前記第２負荷試験装置は、前記通信端末と無線通信を行う第２通信部を有するものであり、
前記通信端末は、無線通信を介して、前記第１通信部から、前記第１負荷試験装置のオンオフ状態に関する情報を受信し、前記第１通信部に、無線通信を介して、前記第１負荷試験装置を動作させる指示に関する信号を送信し、前記第２通信部から、前記第２負荷試験装置のオンオフ状態に関する情報を受信し、前記第２通信部に、無線通信を介して、前記第２負荷試験装置を動作させる指示に関する信号を送信することを特徴とする通信端末。
【発明の詳細な説明】
【技術分野】
【０００１】
本発明は、負荷システムなどに関する。
【背景技術】
【０００２】
従来、特許文献１のように、発電機の負荷試験を行う乾式負荷試験装置が提案されている。
【先行技術文献】
【特許文献】
【０００３】
【特許文献１】特開２０１０−２５７５２号公報
【発明の概要】
【発明が解決しようとする課題】
【０００４】
しかしながら、負荷試験装置から離れた位置に居る作業者は、負荷試験装置の状態を把握したり、操作したりすることが出来ない。【０００５】
したがって本発明の目的は、離れた位置にいる作業者が負荷試験装置の状態を把握したり操作したりすることができる負荷システムなどを提供することである。
【課題を解決するための手段】
【０００６】
本発明に係る負荷システムは、第１負荷試験装置と、第１負荷試験装置と無線通信を行う通信端末とを備えた負荷システムであって、第１負荷試験装置は、通信端末と無線通信を行う第１通信部を有するものであり、第１通信部は、通信端末に、第１負荷試験装置のオンオフ状態に関する情報を送信し、通信端末から、第１負荷試験装置を動作させる指示に関する信号を受信する。【０００７】
負荷試験装置と通信出来る通信端末を用いることにより、負荷試験装置から離れた位置にいる作業者が、負荷試験装置の状態を把握したり、負荷試験装置を操作したりすることが可能になる。【０００８】
好ましくは、通信端末には、オンオフ状態表示パターンを表示するソフトウエアがインストールされており、オンオフ状態表示パターンは、第１負荷試験装置におけるリレーのオンオフ状態を示すリレーオンオフ状態表示領域と、第１負荷試験装置の負荷試験の状態を示す負荷試験状態表示領域を有し、リレーオンオフ状態表示領域の操作に対応して、第１負荷試験装置におけるリレーのオンオフ状態の切替が行われる。【０００９】
さらに好ましくは、第１負荷試験装置は、抵抗器を含む抵抗器群が複数設けられた第１抵抗部を有し、第１通信部と通信端末との通信が切断された時に、第１負荷試験装置におけるリレーのうち、第１抵抗部における複数の抵抗器群に対応するリレーであって、オン状態のものの少なくとも１つがオフ状態にされる。【００１０】
通信部と通信端末との間の通信が切断された場合には、通信端末による操作で、負荷試験装置の負荷状態などを制御することが出来ないが、当該通信の切断に基づいて、負荷を下げ、負荷試験装置の安全性を確保することが出来る。【００１１】
また、好ましくは、第１負荷試験装置は、抵抗器を含む抵抗器群が複数設けられた第１抵抗部を有し、第１通信部と通信端末との通信が切断された時に、第１負荷試験装置におけるリレーのうち、第１抵抗部における複数の抵抗器群に対応するリレーであって、オン状態のもののいくつかが段階的にオフ状態にされる。【００１２】
さらに好ましくは、通信が切断された後であって、第１負荷試験装置における複数の抵抗器群に対応するリレーの総てがオフ状態にされる前に、通信が回復した場合には、段階的にオフ状態にする制御は停止され、通信端末は、通信が回復したことに関する情報を表示する。【００１３】
本発明に係る負荷システムは、第１負荷試験装置と、第１負荷試験装置とは別の第２負荷試験装置と、第１負荷試験装置、及び第２負荷試験装置と無線通信を行う通信端末とを備えた負荷システムであって、第１負荷試験装置は、通信端末と無線通信を行う第１通信部を有するものであり、第２負荷試験装置は、通信端末と無線通信を行う第２通信部を有するものであり、第１通信部は、通信端末に、第１負荷試験装置のオンオフ状態に関する情報を送信し、通信端末から、第１負荷試験装置を動作させる指示に関する信号を受信し、第２通信部は、通信端末に、第２負荷試験装置のオンオフ状態に関する情報を送信し、通信端末から、第２負荷試験装置を動作させる指示に関する信号を受信する。【００１４】
通信端末が、複数の負荷試験装置１と通信し、当該複数の負荷試験装置を動作させることで、同時に複数の負荷試験装置の状態を１台の通信端末上で表示させ、且つ複数の負荷試験装置を一人の作業者で操作することが可能になる。
特に、複数の負荷試験装置１を設置して行われる空調設備の負荷試験で有効である。【００１５】
好ましくは、通信端末には、第１オンオフ状態表示パターンと第２オンオフ状態表示パターンを表示するソフトウエアがインストールされており、第１オンオフ状態表示パターンは、第１負荷試験装置におけるリレーのオンオフ状態を示す第１リレーオンオフ状態表示領域と、第１負荷試験装置の負荷試験の状態を示す第１負荷試験状態表示領域を有し、第２オンオフ状態表示パターンは、第２負荷試験装置におけるリレーのオンオフ状態を示す第２リレーオンオフ状態表示領域と、第２負荷試験装置の負荷試験の状態を示す第２負荷試験状態表示領域を有し、第１リレーオンオフ状態表示領域の操作に対応して、第１負荷試験装置におけるリレーのオンオフ状態の切替が行われ、第２リレーオンオフ状態表示領域の操作に対応して、第２負荷試験装置におけるリレーのオンオフ状態の切替が行われ、第１負荷試験装置の負荷試験の状態は、第１負荷試験装置の負荷試験における電流に関する情報と、電圧に関する情報と、電力に関する情報と、負荷量に関する情報と、試験時間に関する情報と、正常に動作しているか否かに関する情報の少なくとも１つを含み、第２負荷試験装置の負荷試験の状態は、第２負荷試験装置の負荷試験における電流に関する情報と、電圧に関する情報と、電力に関する情報と、負荷量に関する情報と、試験時間に関する情報と、正常に動作しているか否かに関する情報の少なくとも１つを含む。【００１６】
さらに好ましくは、第１負荷試験装置は、抵抗器を含む抵抗器群が複数設けられた第１抵抗部を有し、第２負荷試験装置は、抵抗器を含む抵抗器群が複数設けられた第２抵抗部を有し、第１通信部と通信端末との通信が切断された時に、第１負荷試験装置におけるリレーのうち、第１抵抗部における複数の抵抗器群に対応するリレーであって、オン状態のものの少なくとも１つがオフ状態にされ、第２通信部と通信端末との通信が切断された時に、第２負荷試験装置におけるリレーのうち、第２抵抗部における複数の抵抗器群に対応するリレーであって、オン状態のものの少なくとも１つがオフ状態にされる。【００１７】
また、好ましくは、ソフトウエアは、さらに履歴表示パターンを表示するものであり、履歴表示パターンは、第１負荷試験装置の負荷試験の状態と第２負荷試験装置の負荷試験の状態を示す進行中表示領域と、第１負荷試験装置と第２負荷試験装置における過去の負荷試験の内容を示す過去表示領域を有し、過去表示領域における過去の負荷試験の内容は、過去の負荷試験における日時に関する情報を含むものであり、進行中表示領域における、第１負荷試験装置の負荷試験の状態を示す領域が操作された場合には、第１オンオフ状態表示パターンの表示に切り替えられ、進行中表示領域における、第２負荷試験装置の負荷試験の状態を示す領域が操作された場合には、第２オンオフ状態表示パターンの表示に切り替えられる。【００１８】
本発明に係る負荷試験装置は、通信端末と無線通信を行う第１通信部を備えた負荷試験装置であって、第１通信部は、通信端末に、第１負荷試験装置のオンオフ状態に関する情報を送信し、通信端末から、第１負荷試験装置を動作させる指示に関する信号を受信する。【００１９】
本発明に係る通信端末は、第１負荷試験装置と無線通信を行う通信端末であって、第１負荷試験装置は、通信端末と無線通信を行う第１通信部を有するものであり、通信端末は、第１通信部から、第１負荷試験装置のオンオフ状態に関する情報を受信し、第１通信部に、第１負荷試験装置を動作させる指示に関する信号を送信する。【００２０】
以上のように本発明によれば、離れた位置にいる作業者が負荷試験装置の状態を把握したり操作したりすることができる負荷システムなどを提供することができる。
【図面の簡単な説明】
【００２１】
【図１】本実施形態における負荷試験装置であって保護カバーなどが取り付けられる前の斜視図である。
【図２】負荷試験装置の構成を示す模式図である。
【図３】操作部の斜視図である。
【図４】第１負荷試験用に保護カバーなどが取り付けられる前の負荷試験装置の斜視図である。
【図５】第１負荷試験用に保護カバーなどが取り付けられた後の負荷試験装置の斜視図である。
【図６】サーバーラックに取り付けられた状態の負荷試験装置の斜視図である。
【図７】第２負荷試験用に保護カバーなどが取り付けられる前の負荷試験装置の斜視図である。
【図８】第２負荷試験用に保護カバーなどが取り付けられた後の負荷試験装置の斜視図である。
【図９】第２負荷試験用に保護カバーなどが取り付けられた後の負荷試験装置であって、図８の取っ手に代えてキャスターが取り付けられたものの斜視図である。
【図１０】負荷システムの構成を示す模式図である。
【図１１】通信端末の表示装置に表示されたオンオフ状態表示パターンの例を示す図である。
【図１２】通信端末の表示装置に表示された履歴表示パターンの例を示す図である。
【図１３】使用モード切替ボタン領域が追加されたオンオフ状態表示パターンの例を示す図である。
【図１４】通信端末の表示装置に表示された警告表示パターンの例を示す図である。
【図１５】通信端末の表示装置に表示された通信回復表示パターンの例を示す図である。
【図１６】通信切断に基づく段階的なオフ制御の手順の例を示すフローチャートである。
【発明を実施するための形態】
【００２２】
以下、本実施形態について、図を用いて説明する。本実施形態における乾式の負荷試験装置１は、筐体１０、抵抗部２０、冷却部３０、接続切替部４０、設置部材５０を備える（図１〜図９）。
【００２３】
方向を説明するために、抵抗部２０の抵抗器Ｒｅが延びる方向をｘ方向、ｘ方向と垂直で、抵抗部２０と冷却部３０が並べられる方向をｙ方向、ｘ方向とｙ方向に垂直な方向をｚ方向として説明する。
第１実施形態（コンピューターサーバーを冷却する空調設備の負荷試験である第１負荷試験、図１〜図６参照）では、ｘ方向とｙ方向が水平方向で、ｚ方向が鉛直方向となる。
第２実施形態（発電機やバッテリーの負荷試験である第２負荷試験、図１〜図３、図７〜図９参照）では、ｘ方向とｚ方向が水平方向で、ｙ方向が鉛直方向となる。
【００２４】
筐体１０は、外形が直方体を形成し、当該直方体におけるｘ方向と垂直なｙｚ平面の一方を第１側面１０ａ、他方を第２側面１０ｂとし、当該直方体におけるｚ方向と垂直なｘｙ平面の一方を上面１０ｃ、他方を下面１０ｄとし、当該直方体におけるｙ方向と垂直なｘｚ平面の一方を前面１０ｅ、他方を後面１０ｆとし、前面１０ｅに近い側を第１領域１１、後面１０ｆに近い側を第２領域１２とする。
第１実施形態では、下面１０ｄが底面となり、第２実施形態では、前面１０ｅが底面となる。
【００２５】
筐体１０は、第１領域１１に冷却部３０を収容し、第２領域１２に抵抗部２０を収容する。
筐体１０の第１領域１１における第１側面１０ａや第２側面１０ｂには、第１端子接続部４１、第２端子接続部４２、リレー部４５が設けられる。
特に、第１端子接続部４１と第２端子接続部４２は、後述するラック取り付け金具５１が取り付けられる位置よりも前面１０ｅに近い側に設けられる。
操作部４７は、筐体１０の前面１０ｅ、若しくは、筐体１０の第１領域１１における上面１０ｃに着脱可能な状態で取り付けられる。
【００２６】
筐体１０の第２領域１２における第１側面１０ａと第２側面１０ｂと上面１０ｃと下面１０ｄには、抵抗部２０を構成する抵抗器Ｒｅや、抵抗器Ｒｅの端子に接続されたケーブルや短絡バーや、抵抗器Ｒｅを保持する保持板２１を保護するカバー１３（第１側面カバー１３ａ、第２側面カバー１３ｂ、上面カバー１３ｃ、下面カバー１３ｄ）が設けられる。
カバー１３は、鉄やアルミニウムなどの導電性材料で構成される。
【００２７】
また、冷却部３０からの冷風を抵抗部２０に当て、後面１０ｆから排気させるために、少なくとも、前面１０ｅ、後面１０ｆ、第１領域１１の上面１０ｃと下面１０ｄは開口する。
吸気を効率良く行うために、第１側面１０ａや第２側面１０ｂについても、第１端子接続部４１などの部材が取り付けられた領域以外に開口する領域が設けられるのが望ましい。
【００２８】
第１負荷試験の場合には、主に、第１領域１１の上面１０ｃと下面１０ｄの開口と、前面１０ｅの開口における操作部４７が取り付けられていない領域を使って、冷却部３０の冷却ファンの吸気が行われ、後面１０ｆの開口を使って、冷却部３０の冷却ファンの排気が行われる。
【００２９】
第２負荷試験の場合には、主に、第１領域１１の上面１０ｃや下面１０ｄの開口における操作部４７が取り付けられていない領域と、前面１０ｅの開口を使って、冷却部３０の冷却ファンの吸気が行われ、後面１０ｆの開口を使って、冷却部３０の冷却ファンの排気が行われる。
【００３０】
筐体１０の第１領域１１における第１側面１０ａと第２側面１０ｂには、ラック取り付け金具５１が取り付けられ、当該ラック取り付け金具５１を介して、負荷試験装置１が、サーバーラック９０に取り付けられる。
当該サーバーラック９０は、通常はコンピューターサーバーを保持するものであり、第１負荷試験の際には、当該コンピューターサーバーに代えて、負荷試験装置１を保持する。
【００３１】
負荷試験装置１をサーバーラック９０に取り付けるため、筐体１０の幅（第１側面１０ａと第２側面１０ｂの距離）は、サーバーラック９０の幅よりも短い。
特に、サーバーラック９０が１９インチラックの場合には、筐体１０の第１側面１０ａに取り付けたラック取り付け金具５１と、筐体１０の第２側面１０ｂに取り付けたラック取り付け金具５１の幅（サーバーラック９０に取り付ける穴と穴の距離）が１９インチ（約４８０ｍｍ）となるように、筐体１０の幅などが設定される。
【００３２】
抵抗部２０は、ｘ方向に平行な棒状の抵抗器Ｒｅがｚ方向に所定の間隔を空けて複数本並べられた抵抗器列が、ｙ方向に複数段並べられたもので、負荷試験（第１負荷試験、第２負荷試験）を行うために用いられる。
コンピューターサーバーを冷却する空調設備の第１負荷試験（第１実施形態）では、第１端子接続部４１は、当該コンピューターサーバーに電力供給するものと同じ商用電源と接続され、抵抗器Ｒｅは当該商用電源からの電力供給を受ける。
発電機やバッテリーの第２負荷試験（第２実施形態）では、第１端子接続部４１は、試験対象電源（発電機やバッテリー）と接続され、抵抗器Ｒｅは当該試験対象電源からの電力供給を受ける。
【００３３】
本実施形態では、抵抗器Ｒｅは、ｚ方向に４本並べられた抵抗器列が、ｙ方向に６段並べられる。ただし、各抵抗器列に並べられる抵抗器Ｒｅの本数や、抵抗器列が積み重ねられる段数は、これに限るものではない。
【００３４】
抵抗部２０を構成する抵抗器Ｒｅにおいて、近接する複数の抵抗器Ｒｅが直列又は並列に接続されたものを、１つの抵抗器群とし、商用電源（第１実施形態）若しくは試験対象電源（第２実施形態）からの電圧印加を行う抵抗器群の数を変えながら、負荷試験が行われる。
【００３５】
抵抗部２０は、第１抵抗器群Ｇ１〜第８抵抗器群Ｇ８を有する。ただし、抵抗器群Ｇの数は上述の構成に限るものではない。
【００３６】
抵抗器Ｒｅの端子は、他の抵抗器Ｒｅの端子と短絡バーで接続されたり、ケーブルを介して第１端子接続部４１やリレー部４５に接続されたりする。
ただし、図６における第１端子接続部４１と商用電源を接続するケーブルや第２端子接続部４２と商用電源を接続するケーブル、図８における第１端子接続部４１と試験対象電源を接続するケーブルや第２端子接続部４２と商用電源を接続するケーブルを除き、当該短絡バーや当該ケーブルの図示は省略している。
【００３７】
抵抗器Ｒｅにおける端子と導通しない箇所が、当該保持板２１を構成する壁に保持される。
【００３８】
抵抗器Ｒｅの端子であって、保持板２１を構成する壁から突出して露出する部分には、ゴムなど絶縁部材で構成されたキャップ（不図示）が被せられるのが望ましい。
【００３９】
冷却部３０による冷却を効率良く行うために、抵抗器列を構成する抵抗器Ｒｅと当該抵抗器Ｒｅとｚ方向に隣接する抵抗器Ｒｅの中間の位置に、ｙ方向に隣接する抵抗器列の抵抗器Ｒｅが配置されるように、各抵抗器列の抵抗器Ｒｅが配列される。
【００４０】
冷却部３０は、外部から取り入れた空気を使って、抵抗部２０の抵抗器Ｒｅを冷却する冷却ファンを有する。
当該冷却ファンは、商用電源（負荷試験装置駆動用電源）で駆動される（図２参照）。
【００４１】
冷却ファンは、ネジ止めなど、着脱可能な状態で、筐体１０の第１領域１１に取り付けられるのが望ましい。
この場合には、冷却部３０の冷却ファンや、操作部４７を負荷試験装置１の筐体１０などと別体で持ち運びすることが可能になり、負荷試験を行う現地で冷却部３０や操作部４７を筐体１０などに取り付けることが可能になる。
特に、操作部４７を筐体１０から外した状態（少なくとも、操作部４７を筐体１０の上面１０ｃや下面１０ｄから外した状態）で、冷却部３０の冷却ファンの着脱が容易に行える。
【００４２】
負荷試験装置１は、冷却部３０と抵抗部２０が水平方向に配置されるように設置した状態で負荷試験（第１実施形態）を行うことと、冷却部３０と抵抗部２０が上下方向に配置されるように設置した状態で負荷試験（第２実施形態）を行うことが可能である。
冷却部３０から抵抗部２０に送り込まれた冷却風の排気は、筐体１０の後面１０ｆから行われる。
【００４３】
接続切替部４０は、第１端子接続部４１、第２端子接続部４２、リレー部４５、操作部４７を有する（図２〜図４、図７参照）。
【００４４】
第１端子接続部４１は、商用電源（第１実施形態）若しくは発電機などの試験対象電源（第２実施形態）とケーブル接続するための端子で、第１端子接続部４１を介して、商用電源（第１実施形態）若しくは試験対象電源（第２実施形態）と、抵抗部２０を構成する抵抗器群（第１抵抗器群Ｇ１〜第８抵抗器群Ｇ８）とが接続可能な状態にされる。
【００４５】
第１端子接続部４１と、商用電源（第１実施形態）若しくは試験対象電源（第２実施形態）とのケーブル接続は、第１側面１０ａの開口でラック取り付け金具５１が取り付けられる領域と前面１０ｅの間を介して行われる（図６参照）。
第１端子接続部４１とリレー部４５との間、若しくは第１端子接続部４１には、ＶＣＢ（Vacuum Circuit Breaker）などの遮断器が設けられるのが望ましい。
【００４６】
第２端子接続部４２は、商用電源とケーブル接続するための端子で、第２端子接続部４２を介して、商用電源と、冷却部３０の冷却ファンやリレー部４５のリレーや操作部４７とが接続可能な状態にされる。
ただし、第２負荷試験においては、第２端子接続部４２も試験対象電源と接続され、試験対象電源から供給される電力で、冷却部３０の冷却ファンやリレー部４５のリレーや操作部４７が駆動される形態であってもよい。
【００４７】
第２端子接続部４２と、商用電源とのケーブル接続は、第１側面１０ａの開口でラック取り付け金具５１が取り付けられる領域と前面１０ｅの間を介して行われる（図６参照）。
第２端子接続部４２とリレー部４５との間、若しくは第２端子接続部４２には、ＭＣＣＢＶＣＢ（Molded Case Circuit Breaker）などの遮断器が設けられるのが望ましい。
【００４８】
リレー部４５は、操作部４７のスイッチの操作に対応して、冷却部３０への電力供給のオンオフ制御を行うリレー（冷却ファンリレーＲＣ）と、抵抗部２０を構成する抵抗器群（第１抵抗器群Ｇ１〜第８抵抗器群Ｇ８）それぞれへの電力供給のオンオフ制御を行うリレー（第１リレーＲ１〜第８リレーＲ８）を有する。
リレー部４５を構成するリレー（冷却ファンリレーＲＣ、第１リレーＲ１〜第８リレーＲ８）は、商用電源（負荷試験装置駆動用電源）で駆動される（図２、図３参照）。
【００４９】
操作部４７は、電源スイッチ４７ａ、冷却ファンスイッチ４７ｂ、抵抗切替スイッチ４７ｃ、表示部４７ｄを有する（図３参照）。
【００５０】
電源スイッチ４７ａは、スライド式（若しくはトグル式若しくは押しボタン式）の操作スイッチで、負荷試験装置１のオンオフを選択するために使用される。
電源スイッチ４７ａがオン状態にされると、第１端子接続部４１の遮断器若しくは不図示のリレーがオン状態にされて、リレー部４５の第１リレーＲ１〜第８リレーＲ８に、第１端子接続部４１を介して負荷試験装置１に接続された商用電源（第１実施形態）若しくは試験対象電源（第２実施形態）からの電流が流れうる状態にされる。
また、電源スイッチ４７ａがオン状態にされると、第２端子接続部４２の遮断器若しくは不図示のリレーがオン状態にされて、リレー部４５の冷却ファンリレーＲＣや操作部４７に、第２端子接続部４２を介して負荷試験装置１に接続された商用電源からの電流が流れうる状態にされる。
【００５１】
冷却ファンスイッチ４７ｂは、スライド式（若しくはトグル式若しくは押しボタン式）の操作スイッチで、冷却部３０の冷却ファンのオンオフを選択する（モード切替する）ために使用される。
冷却ファンスイッチ４７ｂがオン状態にされると、冷却ファンリレーＲＣがオン状態にされて、冷却部３０の冷却ファンに、第２端子接続部４２を介して負荷試験装置１に接続された商用電源からの電流が流れうる状態にされる。
【００５２】
抵抗切替スイッチ４７ｃ（第１抵抗切替スイッチ４７ｃ１〜第８抵抗切替スイッチ４７ｃ８）は、スライド式（若しくはトグル式若しくは押しボタン式）の操作スイッチで、第１抵抗器群Ｇ１〜第８抵抗器群Ｇ８それぞれのリレー（第１リレーＲ１〜第８リレーＲ８）のオンオフ制御を行うためのスイッチである。
第１抵抗切替スイッチ４７ｃ１がオン状態にされると、第１抵抗器群Ｇ１のリレー（第１リレーＲ１）がオン状態にされて、第１抵抗器群Ｇ１に、第１端子接続部４１を介して負荷試験装置１に接続された商用電源（第１実施形態）若しくは試験対象電源（第２実施形態）からの電流が流れうる状態にされる。
第２抵抗切替スイッチ４７ｃ２〜第８抵抗切替スイッチ４７ｃ８も、同様で、オン状態にされると、対応する抵抗器群のリレーがオン状態にされて、当該抵抗器群に、第１端子接続部４１を介して負荷試験装置１に接続された商用電源（第１実施形態）若しくは試験対象電源（第２実施形態）からの電流が流れうる状態にされる。
【００５３】
表示部４７ｄは、負荷試験装置１の動作状態を示す表示装置で、正常動作中に点灯する第１点灯部４７ｄ１、警告時に点灯する第２点灯部４７ｄ２、異常による運転停止時に点灯する第３点灯部４７ｄ３を有する。
表示部４７ｄは、さらに、第１抵抗器群Ｇ１〜第８抵抗器群Ｇ８に流れる電流、第１抵抗器群Ｇ１〜第８抵抗器群Ｇ８に印加された電圧、電力値、負荷量、試験時間などの数値や、正常に動作しているか否かなどの運転状態などを表示する形態であってもよい。
【００５４】
操作部４７は、筐体１０の前面１０ｅ（第１実施形態）や、筐体１０の第１領域１１における上面１０ｃ（第２実施形態、下面１０ｄでも良い）に着脱可能な状態で取り付けられる。
操作部４７の筐体１０への取り付けは、筐体４７１に設けられた第１取り付け穴４９ａを介したネジ止め等により行われる。
【００５５】
操作部４７は、筐体１０の第１領域１１であって、後面１０ｆと平行な前面１０ｅに取り付けられる（第１実施形態）、若しくは、筐体１０の第１領域１１であって、前面１０ｅに垂直な上面１０ｃと下面１０ｄと側面（第１側面１０ａ、第２側面１０ｂ）のいずれかに取り付けられる。
【００５６】
操作部４７が上面１０ｃの開口と下面１０ｄと側面（第１側面１０ａ、第２側面１０ｂ）のいずれかに取り付けられた場合には、少なくとも前面１０ｅの開口を使って冷却風の吸気が行われる（第１実施形態）。
操作部４７が前面１０ｅに取り付けられた場合には、第１領域１１の上面１０ｃの開口と下面１０ｄと側面（第１側面１０ａ、第２側面１０ｂ）の開口の少なくとも一つを使って冷却風の吸気が行われる（第２実施形態）。
【００５７】
本実施形態では、操作部４７を、１箇所だけでなく、少なくとも２箇所以上（前面１０ｅと上面１０ｃ（若しくは下面１０ｄ、第１側面１０ａ、第２側面１０ｂ））に着脱可能な状態で取り付けることが出来る。
このため、抵抗部２０と冷却部３０を水平方向に配置されるように負荷試験装置１が設置されても、上下方向に配置されるように負荷試験装置１が設置されても、操作を容易に行うことが可能になる。
【００５８】
操作部４７を筐体１０に取り付けた時に、電源スイッチ４７ａなどが前面１０ｅや上面１０ｃから突出しないように、操作部４７は筐体４７１よりも凹んだ凹部４７３を有し、凹部４７３に電源スイッチ４７ａ、冷却ファンスイッチ４７ｂ、抵抗切替スイッチ４７ｃ、表示部４７ｄが設けられる。
凹部４７３の裏側（電源スイッチ４７ａなどが設けられた表側と逆側）には、コネクタ４８が設けられ、電源スイッチ４７ａと第１端子接続部４１や第２端子接続部４２、冷却ファンスイッチ４７ｂと冷却ファンリレーＲＣ、第１抵抗切替スイッチ４７ｃ１と第１リレーＲ１などの電気的な接続は、当該コネクタ４８を介して行われる。
コネクタ４８を介した着脱により、容易に操作部４７の電気配線が可能になる。
【００５９】
なお、筐体４７１には、第１取り付け穴４９ａの他に、第２取り付け穴４９ｂが設けられる。
【００６０】
設置部材５０は、ラック取り付け金具５１と取っ手５３を有する。
【００６１】
ラック取り付け金具５１は、Ｌ字形状を有し、当該Ｌ字形状を構成する一方の面がネジ止めなどによって筐体１０の第１側面１０ａと第２側面１０ｂに取り付けられ、当該Ｌ字形状を構成する他方の面がネジ止めなどによってサーバーラック９０に取り付けられる（第１実施形態）。
【００６２】
第１領域１１の一部（前面１０ｅなど）がサーバーラック９０から突出するように、負荷試験装置１はサーバーラック９０に取り付けられ、第１端子接続部４１と第２端子接続部４２は、第１領域１１であって、筐体１０の側面（第１側面１０ａ若しくは第２側面１０ｂ）におけるサーバーラック９０に取り付けられる位置（ラック取り付け金具５１が取り付けられる位置）よりも前面１０ｅに近い側に配置される。
【００６３】
第２実施形態では、ラック取り付け金具５１は使用されない。
【００６４】
取っ手５３は、コの字型形状を有し、２以上設けられる。
操作部４７が筐体１０の前面１０ｅに取り付けられる第１実施形態では、第２取り付け穴４９ｂを介して、取っ手５３が前面１０ｅに取り付けられ、負荷試験装置１のサーバーラック９０への着脱に使用される。
操作部４７が筐体１０の第１領域１１における上面１０ｃに取り付けられる第２実施形態では、第２取り付け穴４９ｂを介さずに、取っ手５３が前面１０ｅに取り付けられ、吸気目的で、底面となる筐体１０の前面１０ｅと、負荷試験装置１を設置する設置面の間に一定の間隔を設けるために使用される。
【００６５】
ただし、第２実施形態においては、２以上のコの字型形状の取っ手５３に代えて、４以上のキャスター５４が前面１０ｅに取り付けられる形態であってもよい（図９参照）。この場合には、キャスター５４が、吸気目的で、底面となる筐体１０の前面１０ｅと、負荷試験装置１を設置する設置面の間に一定の間隔を設けるために使用される。
【００６６】
コンピューターサーバーを冷却する空調設備の負荷試験である第１負荷試験を行う場合には、冷却部３０と抵抗部２０が水平方向に配置されるように負荷試験装置１が設置され、抵抗器群（第１抵抗器群Ｇ１〜第８抵抗器群Ｇ８）には第１端子接続部４１やリレー部４５（第１リレーＲ１〜第８リレーＲ８）を介して商用電源からの電力が供給され、筐体１０の側面（第１側面１０ａ、第２側面１０ｂ）がコンピューターサーバーを保持するサーバーラック９０に取り付けられ、操作部４７は筐体１０の前面１０ｅに取り付けられ、前面１０ｅの開口と第１領域１１の上面１０ｃの開口と下面１０ｄの開口の少なくとも一つを使って吸気が行われ、筐体１０の後面１０ｆから水平方向に排気が行われる。
【００６７】
発電機若しくはバッテリーを含む試験対象電源の負荷試験である第２負荷試験を行う場合には、冷却部３０が下で抵抗部２０が上に配置されるように負荷試験装置１が設置され、取っ手５３（若しくはキャスター５４）は、前面１０ｅと負荷試験装置１を設置する設置面の間に一定の間隔を設けるために使用され、抵抗器群（第１抵抗器群Ｇ１〜第８抵抗器群Ｇ８）には第１端子接続部４１やリレー部４５（第１リレーＲ１〜第８リレーＲ８）を介して試験対象電源からの電力が供給され、操作部４７は筐体１０の上面１０ｃ若しくは下面１０ｄに取り付けられ、前面１０ｅの開口と第１領域１１の上面１０ｃの開口と下面１０ｄの開口の少なくとも一つを使って吸気が行われ、後面１０ｆから上方向に排気が行われる。
【００６８】
第１負荷試験では、コンピューターサーバーが設置されるサーバーラック９０に負荷試験装置１を取り付け、当該コンピューターサーバーを駆動するための商用電源を使って、負荷試験装置１の抵抗部２０に電力供給を行い、当該コンピューターサーバーを駆動させている時と発熱量などが同等の状況下で、当該コンピューターサーバーが設置された部屋の空調装置を動作させ、当該空調装置の冷却能力が十分であるかどうかを確認する。
【００６９】
このとき、コンピューターサーバーと同じように、サーバーラック９０に負荷試験装置１が設置される。
空調設備は、コンピューターサーバーなどの冷却対象物の位置を考慮して吹き出し方向などが設定されているため、コンピューターサーバーが設置された位置で、且つ当該コンピューターサーバーが発する発熱量と同等の発熱を行う負荷試験装置１を用いることで、実際のコンピューターサーバーを動作させている環境に近い状態で空調装置の負荷試験（第１負荷試験）を行うことが可能になる。
【００７０】
商用電源とのケーブル接続を行う第１端子接続部４１や第２端子接続部４２は、第１側面１０ａにおけるラック取り付け金具５１が取り付けられる位置よりも前面１０ｅに近い側に配置され、サーバーラック９０から突出した位置にあるため、負荷試験装置１をサーバーラック９０に取り付けた後でも、容易に当該ケーブル接続を行うことが可能になる。
【００７１】
また、操作部４７は、前面１０ｅだけでなく、他の面（ここでは、上面１０ｃ）にも取り付け可能であり、第１実施形態のように横方向に排気させる設置形態で負荷試験を行うだけでなく、第２実施形態のように上方向に排気させる設置形態で負荷試験（第２負荷試験）を行うことも可能になる。
このとき、取っ手５３若しくはキャスター５４によって、筐体１０の底面を構成する前面１０ｅと負荷試験装置１の設置面との間から冷却風を取り入れる隙間を設けることが可能になる。
【００７２】
操作部４７の操作は、作業者が直接操作部４７のスイッチを操作することにより行われる形態の他、外部の通信端末（例えば、所定のソフトウエアをインストールした携帯電話）６９と双方向で無線通信を行う通信部５９を設け、制御部５８を介して、通信端末６９からの指示に基づいて、操作部４７（操作部４７のオンオフ操作に連動するリレー）を動作させる（図１０〜図１２参照）。
この場合、負荷試験装置１は、制御部５８と通信部５９を更に備える。
ＣＰＵなどの制御部５８は、操作部４７及び通信部５９を制御する。
通信部５９は、通信端末６９から、操作部４７のスイッチに対応するリレーを動作させる指示に関する信号を受信し、通信端末６９に負荷試験装置１の状態（リレーのオンオフ状態など）に関する情報を送信する。
【００７３】
通信部５９と通信端末６９との間の通信に用いられる無線通信手段は、IEEE802.15.1（Bluetooth（登録商標））や、IEEE802.11（無線LAN）や、携帯電話回線などが考えられる。
【００７４】
通常は、負荷試験装置１の操作部４７の近くにいる作業者のみが、負荷試験装置１の状態を把握し、負荷試験装置１を操作することが出来、負荷試験装置１から離れた位置にいる作業者は、負荷試験装置１の状態を把握したり、負荷試験装置１の操作部４７を操作したりすることが出来ないが、負荷試験装置１と通信出来る通信端末６９を用いることにより、負荷試験装置１から離れた位置にいる作業者が、負荷試験装置１の状態を把握したり、負荷試験装置１の操作部４７（操作部４７のオンオフ操作に連動するリレー）を操作したりすることが可能になる。
【００７５】
また、２台以上の負荷試験装置１と、通信端末６９を含む負荷システムを構成し、当該通信端末６９が、当該２台以上の負荷試験装置１と無線通信を行う形態であってもよい。
通信端末６９が、複数の負荷試験装置１と通信し、当該複数の負荷試験装置１の操作部４７を動作させることで、同時に複数の負荷試験装置１の状態を１台の通信端末６９上で表示させ、且つ複数の負荷試験装置１を一人の作業者で操作することが可能になる。
特に、複数の負荷試験装置１を設置して行われる空調設備の負荷試験（第１負荷試験）で有効である。
【００７６】
具体的には、通信端末６９は、表示機能とタッチスイッチなどの操作機能を有し、当該所定のソフトウエア起動中にオンオフ状態表示パターンＤ１や履歴表示パターンＤ２を表示する表示装置７７を含む。
【００７７】
オンオフ状態表示パターンＤ１は、負荷試験装置１における操作部４７の状態を示し、第１端子接続部４１の遮断器のオンオフ状態（電源スイッチ４７ａのスイッチ状態）を示す電源状態表示領域７７ａ、冷却ファンリレーＲＣのオンオフ状態（冷却ファンスイッチ４７ｂのスイッチ状態）を示す冷却状態表示領域７７ｂ、第１抵抗器群Ｇ１〜第８抵抗器群Ｇ８に対応する第１リレーＲ１〜第８リレーＲ８のオンオフ状態（第１抵抗切替スイッチ４７ｃ１〜第８抵抗切替スイッチ４７ｃ８のスイッチ状態）を示す第１表示領域７７ｃ１〜第８表示領域７７ｃ８、負荷試験装置１の負荷試験の状態（電流値など）を示す負荷試験状態表示領域７７ｄ、他の負荷試験装置に対応するオンオフ状態表示パターンＤ１の表示に切り替える第１切替ボタン領域７７ｅ、履歴表示パターンＤ２の表示に切り替える第２切替ボタン領域７７ｆを有する。
【００７８】
電源状態表示領域７７ａが操作されると、対応する負荷試験装置１の第１端子接続部４１の遮断器など（電源スイッチ４７ａ）のオンオフ状態の切替が行われる。
冷却状態表示領域７７ｂが操作されると、対応する負荷試験装置１の冷却ファンリレーＲＣ（冷却ファンスイッチ４７ｂ）のオンオフ状態の切替が行われる。
第１表示領域７７ｃ１が操作されると、対応する負荷試験装置１の第１リレーＲ１（第１抵抗切替スイッチ４７ｃ１）のオンオフ状態の切替が行われる。
第２表示領域７７ｃ２〜第８表示領域７７ｃ８も、同様で、操作されると、対応する負荷試験装置の第２リレーＲ２〜第８リレーＲ８（第２抵抗切替スイッチ４７ｃ２〜第８抵抗切替スイッチ４７ｃ８）のオンオフ状態の切替が行われる。
【００７９】
図１１は、負荷試験装置１（第１負荷試験装置）における、電源スイッチ４７ａと冷却ファンスイッチ４７ｂと第１抵抗切替スイッチ４７ｃ１と第２抵抗切替スイッチ４７ｃ２がオン状態にされ、第３抵抗切替スイッチ４７ｃ３〜第８抵抗切替スイッチ４７ｃ８がオフ状態にされているオンオフ状態表示パターンＤ１の例を示す。
【００８０】
負荷試験状態表示領域７７ｄは、対応する負荷試験装置１で行われている負荷試験の状態（第１抵抗器群Ｇ１〜第８抵抗器群Ｇ８に流れる電流、第１抵抗器群Ｇ１〜第８抵抗器群Ｇ８に印加された電圧、電力値、負荷量、試験時間などの数値や、正常に動作しているか否かなどの運転状態）を表示する。
第１切替ボタン領域７７ｅが操作されると、通信端末６９と通信している他の負荷試験装置１のオンオフ状態表示パターンＤ１の表示への切替が行われる。
第２切替ボタン領域７７ｆが操作されると、通信端末６９と通信した負荷試験装置１の負荷試験情報の一覧表示（履歴表示パターンＤ２）の表示への切替が行われる。
【００８１】
履歴表示パターンＤ２は、通信端末６９と通信中の負荷試験装置１の負荷試験の状態を示す進行中表示領域７７ｇと、通信端末６９と通信した負荷試験装置１の過去の負荷試験の内容（負荷試験の日時など）を示す過去表示領域７７ｈを有する。
【００８２】
図１２は、通信端末６９と通信中の２台の負荷試験装置１（第１負荷試験装置と第２負荷試験装置）の負荷試験の状態を示す２つの進行中表示領域７７ｇ（７７ｇ１、７７ｇ２）と、通信端末６９と通信した３台の負荷試験装置１（第１負荷試験装置と第２負荷試験装置と第３負荷試験装置）の過去の負荷試験の内容を示す３つの過去表示領域７７ｈ（７７ｈ１、７７ｈ２、７７ｈ３）を含む履歴表示パターンＤ２の例を示す。
【００８３】
さらに、オンオフ状態表示パターンＤ１に、通信状態に基づいてオフ制御を行う使用モード切替ボタン領域７７ｉを設ける形態であってもよい（図１３参照）。
【００８４】
使用モード切替ボタン領域７７ｉを使って、通信状態に基づくオフ制御を行うモードにされた状態で、通信部５９と通信端末６９との間の通信状態が切断された場合には、制御部５８は、第１リレーＲ１〜第８リレーＲ８のうち、オン状態にされているもののいくつか（少なくとも１つ）をオフ状態して、負荷を少なくする。
例えば、抵抗値が小さい抵抗器群の１つに対応するリレーだけをオン状態にし、他の抵抗器群に対応するリレーをオフ状態にする形態が考えられる。
また、急激な負荷の変動による動作不良を避けるため、オン状態にされているリレーの総てを同時にオフ状態にするのではなく、段階的に、すなわち、第１時間ｔ１（例えば、ｔ１＝１０秒）の間隔を空けて、１つずつオフ状態にしていくのが望ましい。
これにより、オン状態にされているリレーに対応する抵抗器群にだけ、商用電源または試験対象電源から第１端子接続部４１を介して電力供給が行われる。
ただし、抵抗器群に対応するリレーのうち少なくとも１つは、負荷を少なくする制御を開始してから第２時間ｔ２（例えば、ｔ２＝５分）が経過するまではオフ状態にせずオン状態を維持させる。
【００８５】
また、通信端末６９は、警告表示パターンＤ３を表示する（図１４参照）。
警告表示パターンＤ３は、「通信部との通信が切断されたこと」、及び「負荷試験装置の負荷を段階的に下げ、第２時間ｔ２の経過後に運転を停止させること」を示す文字を出力する。
なお、警告表示パターンＤ３に代えて、若しくは加えて、通信端末６９が、「通信部との通信が切断されたこと」、及び「負荷試験装置の負荷を段階的に下げ、第２時間ｔ２の経過後に運転を停止させること」を示す音声を出力する形態であってもよい。
【００８６】
また、負荷を少なくしてから第２時間ｔ２経過後に、制御部５８は、第１リレーＲ１〜第８リレーＲ８のうち、未だオン状態にされているものもオフ状態にして、抵抗部２０への電力供給を停止させる。
その後に、制御部５８は、冷却ファンリレーＲＣをオフ状態にして、負荷試験を終了する。
【００８７】
通信部５９と通信端末６９との間の通信が切断された後であって、負荷試験装置１における抵抗器群に対応するリレーの総てがオフ状態にされる前（第２時間ｔ２が経過する前）に、当該通信が回復した場合には、段階的にオフ状態にする制御は停止され、通信端末６９は、通信が回復したことに関する情報を含む通信回復表示パターンＤ４を表示する（図１５参照）。
【００８８】
通信回復表示パターンＤ４は、「通信部との通信が回復したこと」、「負荷試験の継続が可能であること」、「（段階的なオフ制御によりスイッチのオンオフ状態が変化しているので）スイッチのオンオフ状態を確認すること」を示す文字を出力する。
なお、通信回復表示パターンＤ４に代えて、若しくは加えて、通信端末６９が、「通信部との通信が回復したこと」、「負荷試験の継続が可能であること」、「（段階的なオフ制御によりスイッチのオンオフ状態が変化しているので）スイッチのオンオフ状態を確認すること」を示す音声を出力する形態であってもよい。
【００８９】
なお、警告表示パターンＤ３、及び通信回復表示パターンＤ４の割り込み表示は、所定の操作（例えば、警告表示パターンＤ３が割り込み表示された領域をタッチするなど）の後に終了する、若しくは、割り込み表示が開始されてから第３時間ｔ３（例えば、ｔ３＝３０秒）経過後に終了する。
【００９０】
また、通信端末６９は、負荷試験装置１における各リレーのオンオフ状態に関する情報を受信し、オンオフ状態表示パターンＤ１を更新する。
【００９１】
通信部５９と通信端末６９との間の通信が切断された場合には、通信端末６９による操作で、負荷試験装置１の負荷状態などを制御することが出来ないが、当該通信の切断に基づいて、負荷を下げ、負荷試験装置１の安全性を確保することが出来る。
また、負荷を下げてから第２時間ｔ２が経過するまでは、低負荷で負荷試験が続けてられており、作業者による操作部４７の操作、若しくは通信状態回復後の作業者による通信端末６９の操作によって、負荷を上げて、高負荷の負荷試験を再開させることも出来る。
【００９２】
通信切断に基づく段階的なオフ制御の手順の例を図１６のフローチャートを用いて説明する。
制御部５８は、ステップＳ１１で、通信部５９と通信端末６９との間の通信状態が第４時間ｔ４以上（例えば、ｔ４＝１０秒）継続して、切断されたか否かを判断する。
切断されている場合には、ステップＳ１２に進められ、切断されていない場合には、第５時間ｔ５（例えば、ｔ５＝５秒）後に、再びステップＳ１１の判断を行う。
【００９３】
制御部５８は、ステップＳ１２で、段階的なオフ制御を行う。
具体的には、制御部５８は、抵抗器群に対応するリレーであって、オン状態にされているものの１つをオフ状態にする。
ただし、抵抗器群に対応するリレーであって、オン状態にされているものが所定の数（例えば、１つ）になった場合には、当該リレーをオフ状態にはせずに、ステップＳ１３に進められる。
また、通信端末６９は、通信部５９と通信端末との間の通信状態が第４時間ｔ４以上継続して、切断された場合に、警告表示パターンＤ３を表示する。
【００９４】
ステップＳ１２から第１時間ｔ１経過後、制御部５８は、ステップＳ１３で、最初にステップＳ１２の段階的なオフ制御を行ってから第２時間ｔ２が経過したか否かを判断する。
経過した場合は、ステップＳ１６に進められ、経過していない場合は、ステップＳ１４に進められる。
制御部５８は、ステップＳ１４で、通信部５９と通信端末６９との間の通信状態が回復したか否か、すなわち、通信部５９と通信端末６９との間の通信が可能な状態になったか否かを判断する。
通信状態が回復した場合には、ステップＳ１５に進められ、回復していない場合には、ステップＳ１２に進められる。
【００９５】
制御部５８は、ステップＳ１５で、段階的なオフ制御を解除し、通信端末６９は、通信回復表示パターンＤ４を表示する。
【００９６】
制御部５８は、ステップＳ１６で、所定の数だけ残されたオン状態のリレーをオフ状態にして、当該手順を終了する。
【００９７】
使用モード切替ボタン領域７７ｉを使って、通信状態に基づくオフ制御を行わないモードにされた状態で、通信部５９と通信端末６９との間の通信状態が切断された場合には、制御部５８による上述のようなオフ制御（段階的に負荷を減らして最終的に負荷試験装置１を停止させるオフ制御）、及び通信端末６９による警告出力は行われず、負荷試験は続けられる。
【符号の説明】
【００９８】
１  負荷試験装置
１０  筐体
１０ａ  第１側面
１０ｂ  第２側面
１０ｃ  上面
１０ｄ  下面
１０ｅ  前面
１０ｆ  後面
１１  第１領域
１２  第２領域
１３  カバー
１３ａ  第１側面カバー
１３ｂ  第２側面カバー
１３ｃ  上面カバー
１３ｄ  下面カバー
２０  抵抗部
３０  冷却部
４０  接続切替部
４１  第１端子接続部
４２  第２端子接続部
４５  リレー部
４７  操作部
４７ａ  電源スイッチ
４７ｂ  冷却ファンスイッチ
４７ｃ  抵抗切替スイッチ
４７ｃ１〜４７ｃ８  第１抵抗切替スイッチ〜第８抵抗切替スイッチ
４７ｄ  表示部
４７１  筐体
４７３  凹部
４８  コネクタ
４９ａ  第１取り付け穴
４９ｂ  第２取り付け穴
５０  設置部材
５１  ラック取り付け金具
５３  取っ手
５４  キャスター
５８  制御部
５９  通信部
６９  通信端末
７７ａ  電源状態表示領域
７７ｂ  冷却状態表示領域
７７ｃ１〜７７ｃ８  第１表示領域〜第８表示領域
７７ｄ  負荷試験状態表示領域７７ｄ
７７ｅ  第１切替ボタン領域
７７ｆ  第２切替ボタン領域
７７ｇ  進行中表示領域
７７ｈ  過去表示領域
７７ｉ  使用モード切替ボタン領域
９０  サーバーラック
Ｄ１  オンオフ状態表示パターン
Ｄ２  履歴表示パターン
Ｄ３  警告表示パターン
Ｄ４  通信回復表示パターン
Ｇ１〜Ｇ８  第１抵抗器群〜第８抵抗器群
Ｒ１〜Ｒ８  第１リレー〜第８リレー
ＲＣ  冷却ファンリレー
Ｒｅ  抵抗器
ｔ１  第１時間（段階的に負荷を少なくする時間間隔）
ｔ２  第２時間（抵抗器群に対応するリレーの総てをオフ状態にするまでの時間）
ｔ３  第３時間（割り込み表示が終了するまでの時間）
ｔ４  第４時間（通信状態が継続して切断する時間）
ｔ５  第５時間（ステップＳ１１の判断を行う時間間隔）
【要約】
離れた位置にいる作業者が負荷試験装置の状態を把握したり操作したりすることができる負荷システムなどを提供する。
負荷システムは、第１負荷試験装置と、第１負荷試験装置と無線通信を行う通信端末６９とを備える。第１負荷試験装置は、通信端末６９と無線通信を行う第１通信部を有するものであり、第１通信部は、通信端末６９に、第１負荷試験装置のオンオフ状態に関する情報を送信し、通信端末６９から、第１負荷試験装置を動作させる指示に関する信号を受信する。【図１】
0006312233.tif 000002
【図２】
0006312233.tif 000003
【図３】
0006312233.tif 000004
【図４】
0006312233.tif 000005
【図５】
0006312233.tif 000006
【図６】
0006312233.tif 000007
【図７】
0006312233.tif 000008
【図８】
0006312233.tif 000009
【図９】
0006312233.tif 000010
【図１０】
0006312233.tif 000011
【図１１】
0006312233.tif 000012
【図１２】
0006312233.tif 000013
【図１３】
0006312233.tif 000014
【図１４】
0006312233.tif 000015
【図１５】
0006312233.tif 000016
【図１６】
0006312233.tif 000017